(57)【特許請求の範囲】
【請求項１】
撮像手段により得られ、または外部から供給される少なくとも一枚のコマについてのコマデータを記憶手段に記憶するとともに、
この記憶手段から読み出されたコマデータを、当該装置への電源供給のＯＮ／ＯＦＦを指示するパワースイッチを除く操作スイッチの動作を送信中は禁止して送信の動作がなされる状態の下に回線を介して送信する機能を有する電子画像取扱装置であって、
前記コマデータの送信中に、前記送信対象のコマデータ或いは前記送信対象の全コマについてのコマデータの、未送信データ量に係る情報を、前記送信対象のコマデータの画像とともにディスプレイに表示することを特徴とする電子画像取扱装置。
【発明の詳細な説明】
【０００１】
【産業上の利用分野】
本発明は、電子的撮像装置や電子画像ファイル装置等の電子画像取扱装置及び電子画像取扱システム、より詳細には、多機能を備えたこの種電子画像取扱装置におけるマン・マシン・インターフェースの改善に関する。
【０００２】
【従来の技術】
近年、電子スチルカメラのような電子的撮像装置、或いは電子的撮像装置で撮像した画像情報やその他の手段により生成された画像情報を所定の情報記録媒体に多数蓄積し乃至は蓄積された画像情報を所要に応じて検索することが可能になされた電子画像取扱装置が種々開発され、既に実用に供されている。特に、最近では、この種の電子画像取扱装置に関して、その多機能化が著しく進展し、例えば画像の伝送機能を備えたこの種の装置も既に商品化され、種々の用途に使用されるようになってきている。
【０００３】
【発明が解決しようとする課題】
しかしながら、一般に上記のように極めて多岐に及ぶ機能を搭載したこの種の装置においては、操作が複雑化するため、それらの機能を余すところ無く発揮できるようにするためには、当該装置のマン・マシン・インターフェースに係る設計につき細心の配慮が必要となってくる。しかしながら、この種の装置においてマン・マシン・インターフェースが十分に最適化されたものは未だ具体的に提案されるに至っていない。
【０００４】
【発明の目的】
そこで、本発明の目的は、多岐に及ぶ機能を搭載しながらマン・マシン・インターフェースの最適化が図られ、画像データの送信状況を把握できる電子画像取扱装置を提供することにある。
【０００５】
【課題を解決するための手段】
前述の課題を解決するため、本発明による電子画像取扱装置は、撮像手段により得られ、または外部から供給される少なくとも一枚のコマについてのコマデータを記憶手段に記憶するとともに、この記憶手段から読み出されたコマデータを、当該装置への電源供給のＯＮ／ＯＦＦを指示するパワースイッチを除く操作スイッチの動作を送信中は禁止して送信の動作がなされる状態の下に回線を介して送信する機能を有する電子画像取扱装置であって、 前記コマデータの送信中に、前記送信対象のコマデータ或いは前記送信対象の全コマについてのコマデータの、未送信データ量に係る情報を、前記送信対象のコマデータの画像とともにディスプレイに表示する。
【０００６】
本発明の他の態様による電子画像取扱装置は、撮像手段により得られ、または外部から供給される少なくとも一枚のコマについてのコマデータを記憶手段に記憶するとともに、この記憶手段から読み出されたコマデータを回線を介して送信する機能を有する電子画像取扱装置であって、前記コマデータの送信中に、前記送信対象のコマデータについての未送信データ量に係る情報をディスプレイに表示する。
【０００７】
本発明の更に他の態様による電子画像取扱装置は、撮像手段により得られ、または  外部から供給される少なくとも一枚のコマについてのコマデータを記憶手段に記憶するとともに、この記憶手段から読み出されたコマデータを回線を介して送信する機能を有する電子画像取扱装置であって、前記コマデータの送信中に、前記送信対象の全コマについてのコマデータの未送信データ量に係る情報をディスプレイに表示する。
【０００８】
本発明の他の態様による電子画像取扱装置は、当該装置への電源供給のＯＮ／ＯＦＦを指示するパワースイッチを含む各種の操作スイッチを有し、撮像手段により得られ、または外部から供給される少なくとも一枚のコマについてのコマデータを記憶手段に記憶するとともに、この記憶手段から読み出されたコマデータを回線を介して送信する機能を有する電子画像取扱装置であって、前記コマデータの送信中は、前記パワースイッチによる指示のみが許可され、他の操作スイッチによる指示は禁止する。
【０００９】
本発明の他の態様による電子画像取扱装置は、撮像手段により得られ、または外部から供給される複数枚のコマについてのコマデータを記憶手段に記憶するとともに、この記憶手段から読み出されたコマデータを回線を介して送信する機能を有する電子画像取扱装置であって、送信対象とする複数のコマが当該操作スイッチの操作により選択、登録され、該登録状況をディスプレイに表示する。
【００１０】
本発明の更に他の態様による電子画像取扱装置は、前記登録された複数のコマについてのコマデータを登録順に送信するとともに、現在送信中のコマ番号を前記ディスプレイに特定の態様で表示する。
【００１１】
本発明の他の態様による電子画像取扱装置は、各種の操作スイッチを有し、撮像手段により得られ、または外部から供給される少なくとも一枚のコマについてのコマデータを記憶手段に記憶するとともに、この記憶手段から読み出されたコマデータを回線を介して送信する機能を有する電子画像取扱装置であって、前記操作スイッチの操作により、前記記憶手段に記憶されているコマのうち、１枚のコマについてのコマデータを送信する機能と、複数枚のコマについてのコマデータを送信する機能とを選択的に指定する手段を有する。
【００１２】
本発明の更に他の態様による電子画像取扱装置は、各種の操作スイッチを有し、回線を介して受信したコマについてのコマデータを記憶手段に記憶する電子画像取扱装置であって、受信モードにおいて前記記憶手段の記憶可能な空容量をディスプレイに表示する。
【００１３】
本発明の他の態様による電子画像取扱装置は、各種の操作スイッチを有し、回線を介して受信したコマについてのコマデータを記憶手段に記憶する電子画像取扱装置であって、前記コマデータの受信中は、受信コマ毎のコマデータ量または現時点迄に受信済みのデータ量に係る情報をディスプレイに表示する。
【００１４】
本発明の更に他の態様による電子画像取扱装置は、各種の操作スイッチを有し、回線を介して受信したコマについてのコマデータを記憶手段に記憶する電子画像取扱装置であって、１コマ分のコマデータの受信完了毎に受信完了を告知する手段を有する。
【００１５】
本発明の更に他の態様による電子画像取扱装置は、撮像手段により得られ、または  各種の操作スイッチを有し、回線を介して受信したコマについてのコマデータを記憶手段に記憶する電子画像取扱装置であって、受信したコマが、当該装置側で定められたコマ番号が付されて前記記憶手段に記憶されるとともに、前記コマ番号をディスプレイに一覧表示する。
【００１６】
本発明の他の態様による電子画像取扱装置は、各種の操作スイッチを有し、回線を介して受信したコマについてのコマデータを記憶手段に記憶する電子画像取扱装置であって、前記記憶手段に記憶されたコマのうち直前に受信したコマをディスプレイに再生表示する。
【００１７】
本発明の他の態様による電子画像取扱装置は、各種の操作スイッチを有し、回線を介して受信したコマについてのコマデータを記憶手段に記憶する電子画像取扱装置であって、複数枚のコマについてのコマデータの受信が完了したときに、前記複数枚のコマのうち最初に受信したコマデータを再生してディスプレイに表示する。
【００１８】
本発明の更に他の態様による電子画像取扱装置は、各種の操作スイッチを有し、回線を介して受信したコマについてのコマデータを記憶手段に記憶する電子画像取扱装置であって、受信され、前記記憶手段に記憶されている複数枚のコマを前記操作スイッチの操作により、順次、ディスプレイに表示する。
【００１９】
本発明の他の態様による電子画像取扱装置は、送信機能と受信機能を有する複数の電子画像取扱装置が回線を介して接続され、各電子画像取扱装置は、送信先を自動的にダイヤリングして通信接続状態とする自動ダイヤルモード機能と、通信相手方からの要求に応じて送信または受信機能が設定される自動応答モード機能とを備え、回線を介した電子画像取扱装置の接続時に、それぞれの電子画像取扱装置の送信モードと受信モードが設定される。
【００２０】
本発明の更に他の態様による電子画像取扱装置は、撮像手段により得られ、または  送信側の電子画像取扱装置には、前記操作スイッチの操作により送信先を設定する機能を有し、受信側の電子画像取扱装置には、送信元を設定する機能を有する。
【００２１】
本発明の他の態様による電子画像取扱システムは、回線を介して接続される複数の電子画像取扱装置が画像情報の授受を行なう電子画像取扱システムにおいて、第１の電子画像取扱装置からのダイヤリング動作及び第２の電子画像取扱装置からの応答に基づいて互いの通信相手を確認し、第１の電子画像取扱装置では、通信相手確認後、当該第１の電子画像取扱装置が送信モードか受信モードかを判定し、判定されたモードを送信し、前記第２の電子画像取扱装置では、前記モードを受信し、受信したモードが送信モードであれば受信モードに設定し、受信したモードが受信モードであれば送信モードに設定し、前記第１の電子画像取扱装置と第２の電子画像取扱装置のモード設定後に画像情報の授受を行なう。
【００２２】
【作用】
本発明では、少なくとも一枚のコマについてのコマデータを記憶手段に記憶するとともに、この記憶手段から読み出されたコマデータを、当該装置への電源供給のＯＮ／ＯＦＦを指示するパワースイッチを除く操作スイッチの動作を送信中は禁止して送信の動作がなされる状態の下に回線を介して送信する機能を有する電子画像取扱装置で、コマデータの送信中には、送信対象のコマデータ或いは送信対象の全コマについてのコマデータの、未送信データ量を、前記送信対象のコマデータの画像とともにディスプレイに表示する。
【００２３】
また、回線を介して受信したコマについてのコマデータを記憶手段に記憶する際、記憶手段の記憶可能な空容量をディスプレイに表示する。受信中は、受信コマ毎のコマデータ量と、現時点迄に受信済みのデータ量をディスプレイに表示する。１コマ分のコマデータの受信完了毎に受信完了を告知する。受信したコマが、当該装置側で定められたコマ番号が付されて記憶手段に記憶されるとともに、コマ番号がディスプレイに一覧表示される。記憶手段に記憶されたコマのうち直前に受信したコマをディスプレイに再生表示する受信ビュー機能を有する。複数枚のコマについてのコマデータの受信が完了したときに、複数枚のコマのうち最初に受信したコマデータを再生してディスプレイに表示する。受信され、記憶手段に記憶されている複数枚のコマを操作スイッチの操作により、順次、ディスプレイに表示する。
【００２４】
更に、送信機能と受信機能を有する複数の装置が回線を介して接続され、各装置は、送信先を自動的にダイヤリングして通信接続状態とする自動ダイヤルモード機能と、通信相手方からの要求に応じて送信または受信機能が設定される自動応答モード機能とを備え、回線を介した装置の接続時に、それぞれの装置の送信モードと受信モードが設定される。
【００２５】
また、送信側には、操作スイッチの操作により送信先を設定する機能を有し、受信側には、送信元を設定する機能を有する。
【００２６】
更に、また、回線を介して接続された第１の電子画像取扱装置及び第２の電子画像取扱装置が互いの通信相手を確認した後、第１の電子画像取扱装置で確認されたモードを第２の電子画像取扱装置で受け、受信モードが送信モードであれば受信モードに、受信モードであれば送信モードに設定して画像情報の授受を行なう。
【００２７】
【実施例】
次に、本発明の実施例について図面を参照しながら説明する。
図１は、本発明による画像取扱装置の電子スチルカメラへの適用例を示す構成ブロック図である。このような電子スチルカメラへの適用は、小型、軽便であるという面で有益である。
【００２８】
被写体画像は、光学系（レンズ）１を介して、光電変換手段であるＣＣＤ等の撮像素子を有する撮像回路２で電気信号に変換される。この変換された電気信号は、クランプ回路３で所定のクランプ処理が施された後、Ａ／Ｄ変換回路４でデジタルデータに変換され、フレームメモリ１１に書き込まれる。フレームメモリ１１の書き込みと読み出しは、システムコントローラ１６からの制御を受けたメモリコントローラ１０により制御される。フレームメモリ１１から読み出された画像データは、デジタルプロセス回路５において、キャラクタジェネレータ９から送出されるキャラクタデータとともにデジタル処理された後、Ｄ／Ａ変換回路６でアナログ信号に変換される。変換されたアナログ画像信号は、増幅回路７で増幅された後、外部端子ＥＸＴと電子ビューファインダ８に供給される。
【００２９】
データ記録時には、フレームメモリ１１から読み出された画像データは、ＤＣＴ／ＩＤＣＴ（離散コサイン変換／逆離散コサイン変換）回路１２で直交変換され、得られた直交係数がコーダ／デコーダ１３で符号化され、ＪＰＥＧ方式等に準拠した圧縮方式で圧縮処理が施される。こうして圧縮された画像データが記憶手段としてのＩＣメモリカード１５に記録される。ここでこのメモリカードは、装置本体に対して着脱自在であっても、また、予め内蔵固定されていてもよいものである。
【００３０】
再生時には、ＩＣメモリカード１５から読み出された画像データが、コーダ／デコーダ１３とＤＣＴ／ＩＤＣＴ回路１２の処理を介して伸長処理され、フレームメモリ１１に書き込まれる。フレームメモリ１１から読み出された画像データは、デジタルプロセス回路５、Ｄ／Ａ変換回路６、増幅回路７を経て外部端子ＥＸＴと電子ビューファインダ８とに出力される。
【００３１】
システムコントローラ１６は、データバスＢ１を介してデータを授受し、カメラ動作の全体を制御する。例えば、ＬＣＤ等よりなる表示部１７の表示を制御するとともに、操作部１８からの操作情報に基づいてカメラ動作を制御する。システムコントローラ１６は、またキャラクタジェネレータ９を制御して所望のキャラクタ情報出力を制御し、データバスＢ２とデータ入出力部１９を介して外部との通信を制御する。補助メモリ１４は、データの各種処理の際に用いられるワークメモリである。ブザー２０は、動作時に何らかの聴覚的出力が必要なときに、システムコントローラ１６の制御を受けて鳴動する。
【００３２】
図２は、本発明の電子画像取扱装置の一実施例としての電子的撮像装置である電子スチルカメラの外観図である。本例の電子スチルカメラは、その画像情報の記録媒体として固体メモリカードを用いており、この種の電子スチルカメラは、、ＳＭＣ（Ｓｏｌｉｄｓｔａｔｅ  Ｍｅｍｏｒｙ  Ｃａｍｅｒａ）とも称される。ＳＭＣにおいては、一画面毎の撮像画像データは、データファイルとしてメモリカードに格納される。このようにしてデータファイルとしてメモリカードに格納された撮像画像データは、ＤＯＳ（Ｄｉｓｋ  Ｏｐｅｒａｔｉｎｇ  Ｓｙｓｔｅｍ）によりサポートされるファイル構造上の位置付け情報たるディレクトリにより識別され、記録・再生その他の管理がなされ得るようになる。このＳＭＣにおいて、一般的なパソコンとの対比において特徴的であることは、ディレクトリの各ファイル情報たる画像データが、静止画像の一コマ一コマに対応したものとして取り扱われ得るようになされていることである。
【００３３】
すなわち、各ファイルのデータは、通常のスチルカメラの一コマ一コマの画像に於けると同時に、コマ番号によって特定され、呼称され、管理され、乃至はモニタ等に表示される。当該一コマの画像としてモニタ画面に映出される画像自体を表すデータたる主データには、この主データに関係する種々の情報が即ち、撮影日付、撮影時のシャッタースピード等の条件、画像のデータフォーマット等副情報として付帯しており、この主データ及び副データを含んで１つ１つの「コマデータ」、即ち、各ファイルのデータが構成されている。
【００３４】
尚、本発明においては、上記したファイルの構成以外に、例えば、各画像データを含んだ個々のファイル間の関係、即ち、一連の連写撮影の中の画像データであることを関係付けるための関連情報を主データとして含む一個の独立した画像ファイルと等価なリレーションファイルを１つのコマデータとして構成することも含まれる。
【００３５】
次に、操作部１８等の配置について詳述する。
本実施例の電子スチルカメラの外観図である図２及び図３には、操作部１８等の各種操作スイッチの配設状態が示されている。
【００３６】
図示のように、カメラ本体上部の中央部には、上述したＬＣＤ表示部１７が配設されており、後述する各操作状態や動作状態等が表示される。ＬＣＤ表示部１７の一側方には、テレ（Ｔ）、ワイド（Ｗ）モード選択用のズームスイッチ（ＺＯＯＭスイッチ）３１、３２が配設されている。また、ＺＯＯＭスイッチ３１、３２の下方にはアップスイッチ（ＵＰスイッチ）３３、ダウンスイッチ（ＤＯＷＮスイッチ）３４が配設されている。これらのスイッチ３３、３４は、カメラが記録モード時にあるときには、モードの調整、例えば、ホワイトバランスの微調整、シャッタースピードの変更、露出補正値の変更、パワーフォーカスのフォーカシング等に使用され、また、再生モード時には、コマ送り、コマ戻しに使用される。
【００３７】
ホワイトバランススイッチ（以下、ＷＢスイッチ）３５は、記録モード時に、ホワイトバランスモードを変更する。ビューイレーズスイッチ（ＶＩＥＷ／ＥＲＡＳＥスイッチ）３６は、記録モード時には、押している直前に記録された画像が再生され、再生モード時には、コマ消去スイッチとして使用される。
【００３８】
＋／−スイッチ３７は、記録モード時に、露出モードを変更する。フォーカススイッチ（ＦＣＳスイッチ）３８は、記録モード時に、オートフォーカスあるいはパワーフォーカスモードを変更するために使用される。ストロボスイッチ（ＳＴＢスイッチ）３９は、記録モード時のストロボモード変更時に使用される。フルオート／マニュアルスイッチ（Ｆ−ＡＵＴＯ／ＭＡＮＵＡＬスイッチ）４０は、条件設定を自動的に行なうモードと、手動で設定するモードとを切り換える。ドライブスイッチ（ＤＲＶスイッチ）４１は、記録スピードモードの変更に使用され、再生モード時には、再生スピードを変更する。
【００３９】
モードスイッチ（ＭＯＤＥスイッチ）４２は、記録モード時に、圧縮モード、非圧縮モードを設定し、再生モードでは、外部端子から出力されるビデオ信号にキャラクタ表示信号を重畳するオンスクリーンモードの指示等を行なう。タイムスイッチ（ＴＩＭＥスイッチ）４３は、時間の設定やブザー２０のオンオフ操作するために使用される。パワースイッチ（ＰＯＷＥＲスイッチ）４４は、カメラのオンオフ操作に使用される。トリガスイッチ４５は、撮影動作を指示したり、画像送信時の送信開始用に使用される。
【００４０】
上記各操作スイッチ群の更に下方の、カメラ本体縁部には、画像伝送時の送信（ＳＥＮＤ）モードと受信（ＲＥＣＥＩＶＥ）モードとの切り換えに使用される送信／受信切り換えスイッチ４６と、送信時に用いる電話モードと記録時に用いるカメラモードとを切り換える電話／カメラ切り換えスイッチ４７とが配設されている。この切換スイッチ４７がカメラ側に設定されていると、切換スイッチ４６の送信／受信に対応してそれぞれ再生記録モードが設定されることになる。また、カメラのＥＶＦ８のための接眼部４８が配設されている。
【００４１】
以上の構成において、本発明は操作部１８から入力される後述の各種指令に基づいてシステムコントローラ１６が各部を制御し、データ入出力部１９を介して、例えば、電話回線を用いて画像情報等の授受を行なう機能を有する。以下、本発明による電子画像取扱装置の実施例の動作を上述電子スチルカメラに適用した例について説明する。
【００４２】
カメラで撮像して得られた画像情報を送信する場合には、図３の電話／カメラスイッチ４７を電話側に設定した状態で、送信（ＳＥＮＤ）／受信（ＲＥＣＥＩＶＥ）スイッチ４６を送信側にセットして、送信モードに設定される。カメラは、後述するように、自動ダイヤル送信モードと自動応答モードに設定することができる。
【００４３】
図４は、送信モードにおける一連の処理手順を示すフローチャートであり、先ず、カメラで撮像された画像情報に対応するコマのうち、送信対象となるコマを選択した後、（ステップＳ１）、画像情報を送信すべき相手先である送信先を選択する（ステップＳ２）。続いて、画像送信動作が実行され（ステップＳ３）、送信モードが終了したか否かを判定する（ステップＳ４）。ここで、送信モードが終了していなければ、ステップＳ１の処理に戻り、送信コマ選択処理に戻り、送信モードが終了していれば、送信動作を終了する。
【００４４】
図５（Ａ）と（Ｂ）には、送信モードの送信コマ選択動作（ステップＳ１）における電子ビューファインダー（ＥＶＦ）８とＬＣＤ表示部１７のそれぞれの表示例が示されている。図５（Ａ）において、現在再生されている１コマ目の画像が表示画面の背景に表示され、上部の表示：“ＳＥＬＥＣＴ  ＰＩＣ．”は、送信コマ選択動作であることを示す。画面右上端部の“１”は、現在選択され、表示されているコマ番号が“１”であることを示し、画面中央部には、当該コマ番号１の画像データ（以下、コマデータと称する）のデータ量（データサイズ）が“６４  ＫＯＹＴＥＳ”であることが表示されている。図中、Ｎはノーマルモード撮影を示す。
【００４５】
図５（Ｂ）においては、上部に電話機マークに向かう矢印によって送信モード（ＴＲＡＮＳＭＩＴと表示）であることが示され、中央部の枠内に現在選択、再生されているコマ番号が“１”が、また、右端部には、コマ番号１の上記コマデータ量が“６４”として表示されている。送信したいコマを変更するときには、ＵＰスイッチ３３やＤＯＷＮスイッチ３４を操作すれば良い。
【００４６】
ステップＳ２の送信先選択動作におけるＥＶＦ８と表示部１７の画面表示例が図６（Ａ）と（Ｂ）に、それぞれ示されている。送信先は、予め登録されており、登録送信先の中から、必要な送信先を選択する。
【００４７】
図６（Ａ）において、“ＳＥＮＤ  ＴＯ  Ｃ−１”が登録番号１の送信先Ｃ−１を、“ＮＡＭＥ：ＴＯＫＹＯ”が当該送信先Ｃ−１の名前を、“ＨＯＳＴ：ＤＬＴＳ”が送信先のシステムを、“ＬＩＮＴ：ＴＯＮＥ”がトーン回線であることを、また、“ＮＯ：０，２２３１４１”が送信先の電話番号を、それぞれ示している。このとき、図６（Ｂ）に示すように、表示部１７の枠内には送信先“Ｃ−１”が表示されている。送信先の変更は、ＵＰスイッチ３３やＤＯＷＮスイッチ３４の操作で行なわれる。
【００４８】
画像送信動作（ステップＳ３）における同様な画面表示例が、図７（Ａ）と（Ｂ）に示されている。自動ダイヤル送信モードが設定設定されていると、カメラは自動的に電話をかけ、画像の送信先と通信を行なう。図７（Ａ）において、上部の送信先を示す“Ｃ−２”が点滅表示され、送信先との通信接続が完了すると、下部に“ＲＥＡＤＹ”が表示される。モデム状態が悪くて通信接続できないときは、“ＭＯＤＥＭ  ＮＯＴ  ＲＥＡＤＹ”が点滅表示される。表示部１７には、図７（Ｂ）に示すように、枠内に送信元Ｃ−２が点滅表示される。
【００４９】
画像送信中のＥＶＦ８と表示部１７の画面表示例が図８（Ａ）と（Ｂ）に示されている。図８（Ａ）では、左上部には、送信中を示すため、“ＳＥＮＤＩＮＧ”が点滅表示され、右上部に現在送信中のコマ番号”２”が＊が付されて表示されている。このとき、画面中央部には、“ＲＥＳＴ：２８  Ｋ  ＢＹＴＥＳ”により、現在送信中のコマ番号“２”のコマデータのうち、未送信のデータ量が表示される。また、画面の下部には、送信すべきコマ番号のリストが表示され、本例では、コマ番号“２”だけが表示されており、現在送信中であることが点滅態様で表示されている。表示部１７には、図８（Ｂ）に示すように、枠内にコマ番号が、右側に未送信データ量が示されている。
【００５０】
図４における送信コマの選択動作処理手順は、図９に示すように、先ず、ＩＣメモリカードに記録されている全コマについての画像データ（コマデータ）を送信する全コマ送信モードであるか否かを判定し（ステップＳ１１）、全コマ送信モードでなければ、送信するコマを選択するコマ選択モードに移行し（ステップＳ１２）、選択されたコマが選択順に登録され、処理を終了する。また、ステップＳ１１において、全コマ送信モードであると判定されたときには、コマ番号順に全コマを選択して（ステップＳ１３）、処理を終了する。
【００５１】
図１０には、図９におけるコマ選択モードＳ１２の詳細な処理手順フローチャートが示されている。先ず、画像コマが再生表示され（ステップＳ２１）、例えば、図５（Ａ）に示すように、１コマ目の画像がＥＶＦ８に表示され、当該コマの画像データ量（容量）が、例えば、図５（Ａ）の“６４  Ｋ  ＢＹＴＥＳ”のように表示される（ステップＳ２２）。次に、送信コマとして登録するか否かが判定され（ステップＳ２３）、登録されていれば、送信コマ登録を実行して（ステップＳ２４）、他のコマを再生するか否かが判定される（ステップＳ２５）。ステップＳ２３において、送信コマとして登録しなければ、そのままステップＳ２５に移行する。
【００５２】
ステップＳ２５において、他のコマを再生しなければ、登録コマが１以上か否かを判定し、（ステップＳ２６）、１以上であれば、処理を終了する。一方、ステップＳ２５において、他のコマを再生するときには、コマ送り操作により再生するコマ番号を変更して（ステップＳ２７）、ステップＳ２１の処理に戻る。ステップＳ２６において、登録コマが１以上でなければ、送信しようとするコマが何もないことになるので、ユーザに対して警告を表示する（ステップＳ２８）。この警告は、ブザー２０による聴覚的警告またはＥＶＦ８等による視覚的警告で行なうことができる。
【００５３】
次に、送信モードにおいて、複数コマを送信する場合と全コマを送信する場合について説明する。
【００５４】
図１１は、送信コマ選択時の表示画面例を示し、下部には登録された送信すべきコマ番号のリストが表示されており、現在選択中で登録済のコマ番号が右上部に点滅表示されるとともに、コマ番号１５のデータ量“６４  Ｋ  ＢＹＴＥＳ”が中央部に表示されている。“＊”は、当該コマ番号が登録済であることを示している。登録は、＋／−スイッチ３７の押下により行なわれ、登録解除は＋／−スイッチ３７の再押下により行なわれる。送信すべきコマがすべて登録されると、トリガスイッチ４５を２段目まで押し切って登録が完了する。
【００５５】
送信先の指定を行い、送信先指定完了状態の表示例が図１２に示されている。送信先の指定後、画像の送信操作を行なう。
【００５６】
図１３は、登録されているコマ番号（登録の順）“１”，“２”，“４”，“８”，“１０”，“１２”，“１５”のうち、コマ番号“２”のコマを送信中であるときの表示例を示す。送信中であることが“ＳＥＮＤＩＮＧ”の点滅表示で、また、送信中のコマ番号が“２”であることが、下段のリストのうち、“２”の点滅表示により知ることができる。コマ画像の送信順序は登録順で行なわれる。登録画像コマの送信がすべて完了すると、カメラは自動的に通信を終了し、送信画像の選択状態に戻る。
【００５７】
一方、全コマを送信する場合には、図１４に示すように表示され、下段部には全コマ送信であることが“ＡＬＬ  ＰＩＣＴＵＲＥＳ”で表示され、その中で現在送信中のコマが“２”であることが右上部に、また、中央部にはコマ番号２の未送信データ量が表示されている。
【００５８】
次に、画像送信動作を図１５のフローチャートを参照して説明する。先ず、モデムを初期化して、自動ダイヤリングし（ステップＳ３１）、通信相手（送信先）を確認して、接続した後（ステップＳ３２）、送信コマを登録順に再生する（ステップＳ３３）。続いて、再生されたコマデータを送信し（ステップＳ３４）、登録コマがまだあるか否かを判定し（ステップＳ３５）、あれば、ステップＳ３３の処理に戻り、なければ、回線を切断して（ステップＳ３６）、処理を終了する。
【００５９】
ステップＳ３４のコマデータ送信の詳細な処理手順を図１６のフローチャートを参照して説明する。コマデータの送信時には、送信コマデータ量（容量）を表示し（ステップＳ４１）、通信相手（送信先）に、例えば、送信コマデータのファイル名、ファイルの作成日時、ファイルのサイズ等の各種パラメータを送信する（ステップＳ４２）。次に、送信コマデータを予め定めたブロックに分け、ブロック毎に転送し（ステップＳ４３）、送信コマデータの残り送信容量を表示（例えば、ＲＥＳＴ：２８  Ｋ  ＢＹＴＥ）した後（ステップＳ４４）、送信中止の指示の有無を判定する（ステップＳ４５）。
【００６０】
本実施例では、データ送信中は、操作部１８の操作スイッチは、パワースイッチ４４を除いてすべて動作不可として、送信の正確性を留保している。したがって、パワースイッチ４４が押下されると、送信が中止される。ステップＳ４５において、送信が中止されていれば、送信が中止状態にあることを表示して（ステップＳ４６）、処理を終了し、送信が中止されていなければ、全ブロックの転送が完了し、送信が終了しているか否かを判定する（ステップＳ４７）。ここで、送信が終了していなければ、ステップＳ４３の処理に戻り、終了していれば、送信したコマ番号を送信登録リストから削除して（ステップＳ４８）、処理を終了する。この送信コマの登録リストからの削除は、要するに、送信を完了した結果を表示できれば良く、画面上の登録リストからの抹消、メモリに登録されている当該コマ番号の削除等を行なっても良い。更に、何らかの原因で未送信のコマについては、未送信コマだけを再送信できるようにすることもできる。
【００６１】
次に、受信モードの動作について図１７のフローチャートを参照して説明する。受信モードに設定されると、先ず、現在使用されている記録媒体（ＩＣメモリカード）の記録可能な残容量（空容量）を表示し（ステップＳ５１）、送信元を選択する（ステップＳ５２）。この送信元の選択は、予め登録されている送信元の中から一つを選択するものである。続いて、送信されてきた画像（コマデータ）を受信し（ステップＳ５３）、受信モードが終了しているか否かを判定する（ステップＳ５４）、受信モードが終了していなければ、ステップＳ５１の処理に戻り、終了していれば、そのまま処理を終了する。
【００６２】
ステップＳ５３の画像受信動作の詳細を図１８のフローチャートを参照して説明すると、モデムを初期化して着信を待ち、（ステップＳ６１）、着信後、通信相手との接続を行い（ステップＳ６２）、コマデータを受信する（ステップＳ６３）、次に、受信コマを、例えば数秒間再生したり、“ピー”音を出力してコマの受信を知らせる（ステップＳ６４）。続いて、受信するコマデータが未だあるか否かを判定し（ステップＳ６５）、あれば、ステップＳ６３の処理に戻り、なければ、回線を切断して（ステップＳ６６）、処理を終了する。
【００６３】
ステップＳ６３のコマデータの受信動作は、図１９に示すフローチャートの手順に従って行なわれる。先ず、通信相手から各コマのデータ量を含む各種パラメータを受信し（ステップＳ７１）、受信コマのデータ容量を表示した後（ステップＳ７２）、受信コマデータをブロック毎に受信し（ステップＳ７３）、受信コマデータの受信データ量を表示する（ステップＳ７４）。次に、受信モードが中止されたか否かを判定し（ステップＳ７５）、中止であれば、中止状態にあることを表示して（ステップＳ７６）、処理を終了し、中止でなければ、全ブロックの受信が完了し、受信が終了したか否かを判定する（ステップＳ７７）。ここで、受信が終了していなければ、ステップＳ７３の処理に戻り、終了していれば、受信したコマを受信リストに追加して（ステップＳ７８）、処理を終了する。
【００６４】
次に、受信時のＥＶＦ８と表示部１７の表示画面例を以下説明する。
受信モードになると、図２０（Ａ）に示すようにＥＶＦ８には、中央部に“ＲＥＣＥＩＶＥ”が表示されて受信モードを表示し、下部にＩＣメモリカードの残（空）容量“６５７Ｋ  ＢＹＴＥＳ  ＦＲＥＥ”が表示されるとともに、右上部に次の受信コマデータが記録されるコマ番号“２”が表示される。また、図２０（Ｂ）に示すように、表示部１７では、上部に電話機からの送信方向を示す矢印により受信モードであることが表示され、枠内に次の受信コマデータが記録されるコマ番号が、また、右中央部にＩＣメモリカード残容量が、それぞれ表示される。
【００６５】
送信元選択時には、トリガスイッチ４５を２段目まで押し切ることにより、図２１（Ａ）に示すように、予め登録されている送信元のうち登録番号１の送信元情報として送信元“ＲＥＣＥＩＶＥ  ＦＲＯＭ  Ｃ−１”；名称“ＮＡＭＥ：ＴＯＫＹＯ”，ホスト“ＨＯＳＴ：ＤＬＴＳ”，回線“ＬＩＮＥ：ＴＯＮＥ”及び電話番号“０，２２３１４１”が表示され、ＬＣＤ等の表示部１７には、図２１（Ｂ）に示すように、送信元“Ｃ−１”が枠内に表示される。上記送信元情報は、ＵＰスイッチ３３やＤＯＷＮスイッチ３４の操作により、登録されている情報から任意に選択され、同様に表示される。
【００６６】
さて、自動ダイヤル受信モードに設定されると、カメラは自動的に電話をかけて、コマデータの送信元と通信を行なう。このとき、例えば、図２２（Ａ）や（Ｂ）に示すように、送信元“Ｃ−１”が点滅表示される。ここで、モデムの準備ができていないときやモデムの設定が間違っているときには、図２３（Ａ）と（Ｂ）に示すように、“ＭＯＤＥＭ  ＮＯＴ  ＲＥＡＤＹ”と“Ｅｒｒ”が、それぞれＥＶＦ８と表示器１７に表示される。
【００６７】
送信元との通信が行なえる状態になると、コマデータの受信を自動的に開始し、データ受信中は、図２４（Ａ）と（Ｂ）に示すように、画面上部に、“ＲＥＣＥＩＶＩＮＧ”と、電話機と矢印部が点滅表示される。このとき、図２４（Ａ）の右上部と、図２４（Ｂ）の枠内には、次の受信データが記録されるコマ番号“１１”が表示され、これ迄受信したデータ量が図２４（Ａ）の中央部に“ＲＣＶＥＤ：  ２８  Ｋ  ＢＹＴＥＳ”、また、図２４（Ｂ）の右端に“２８”が、それぞれ表示されている。また、図２４（Ａ）の中央部には、現在受信中のコマデータ量が“ＴＯＴＡＬ”：“６４  Ｋ”で表示され、下段部には、これ迄に記録されたコマ番号が表示されている。右下端の“＋２”は、コマ番号９よりも２多いコマ番号１１を示している。これは、数字表示部領域の制約があることを考慮して、“９”以上のコマ番号を＋を付して表示している。更に、送信元から予め全送信データ量情報が送信されていれば、最下段等にその全送信データ量を表示することができ、受信側によって有益である。
【００６８】
ＩＣメモリカードの空き容量が不足した場合には、その時点で受信動作を中止し、“ＴＲＡＮＳＭＩＴ  ＥＲＲＯＲ”が表示される。このときは、１つ前に受信していたコマデータまでは正常に受信されているので、そのデータが利用可能である。
【００６９】
当該コマデータの受信が完了すると、ブザー２０を鳴動して、受信したコマ画像を５秒間再生表示する、後述の受信ビュー動作が行なわれる。画像の送信元から続けてコマデータが送信されるときには、この再生表示後、そのまま続けてコマデータを受信する。送信元からコマデータをすべて受信終了すると、通信を自動終了して、ＩＣメモリカードの空き容量表示状態に戻る。
【００７０】
上記受信ビュー動作について図２５のフローチャートを参照して説明する。
先ず、コマ（画像）を受信したか否かを判定し（ステップＳ８１）、受信していなければ、そのまま処理を終了する。また、受信していれば、受信リスト（コマ番号）を表示し（ステップＳ８２）、受信した１コマ目を再生した後（ステップＳ８３）、受信コマが複数か否かを判定する（ステップＳ８４）。ここで、複数であると判定されると、再生コマを変更するか否かを判定し（ステップＳ８５）、変更する場合には、変更後のコマを再生し（ステップＳ８６）、受信ビューの終了か否かを判定する（ステップＳ８７）。ステップＳ８４とＳ８５において、受信コマが複数枚でなかったり、再生コマの変更がないときには、ステップＳ８７の処理に移行する。ステップＳ８７において、受信ビューが終了していないときには、ステップＳ８４の処理に戻り、終了していれば、処理を終了する。
【００７１】
上記受信ビュー動作モードは、受信終了直後に、受信モード状態でＶＩＥＷ／ＥＲＡＳＥスイッチ３６を押すことにより設定される。このＶＩＥＷ／ＥＲＡＳＥスイッチ３６の押下毎に、ノーマルモードと受信ビューモードが切り替わる。受信ビューに設定されると、ＥＶＦ８の画面上部には、図２６に示すように、“ＲＥＣＥＩＶＥ  ＶＩＥＷ”が表示され、右上部には再生しているコマ番号が表示される。また、直前に受信したコマが複数のときは、その内の最初に受信したコマが表示される。例えば、図２６において、直前に受信したコマが“２３”，“２４”，“２５”のコマ番号で記録されているときは、最初に受信したコマ番号２３が表示され、下部のリストのうち“２３”が点滅表示され、当該コマのデータ量が“６４  Ｋ  ＢＹＴＥＳ”のように表示される。また、ＵＰスイッチ３３やＤＯＷＮスイッチ３４を操作するこにより、受信した順番にコマを再生できる。
【００７２】
次に、通信相手との接続処理シーケンスを図２７のフローチャートを参照して説明する。送信側と受信側のそれぞれは、通信を介して通信相手を確認する（ステップＳ９１とステップＳ１０１）。送信側では、通信相手を確認した後、送信容量情報（例えば、コマ数やデータ量等）を送信する（ステップＳ９２）。受信側では、ステップＳ１０１に引き続いて、送信容量情報を受信した後、その容量に基づいて内蔵するメモリ等の容量等を考慮して受信が可能か否かを判定し（ステップＳ１０２）、可能であれば、可能である旨のＯＫ信号を送信側に送信し（ステップＳ１０４）、受信不可能であれば、受信不能を示すＮＧ信号を送信側に送信して（ステップＳ１０３）、接続処理を終了する。
【００７３】
送信側では、受信側からＮＧ信号を受信しているか否かを判定し（ステップＳ９３）、受信していなければ、ＯＫ信号を受信していることになるから、そのまま接続処理を終了する。
【００７４】
また、ステップＳ９３において、ＮＧ信号を受信していれば、それでもそのままデータを送信するか否かを判定する（ステップＳ９４）。これは、受信側のメモリ容量が不足で全データの受信が不能であっても、空容量の範囲でデータ受信、記録は可能であるから、可能な限りのデータの送信を指示する処理である。ステップＳ９４において、そのまま送信すると判定されれば、接続処理を終了して送信処理を実行し、そのまま送信しないと判定されたときは、送信処理を中止する。
【００７５】
図２８には、自動ダイヤルモードと自動応答モード（ＨＯＳＴ）を有する送信先や送信元の選択動作のフローチャートが示されている。先ず、自分から電話をかけるか否かを判定し（ステップＳ１１１）、自分から電話をかけるときには、自動ダイヤルモードに設定され（ステップＳ１１２）、ダイヤル先を選択して（ステップＳ１１３）、処理を終了する。また、ステップＳ１１１において、自分から電話をかけないときには、自動応答モードに設定して（ステップＳ１１４）、処理を終了する。
【００７６】
次に、通信手順の他の実施例を図２９を参照して説明する。送信側は、自動ダイヤルモードに変更されており、モデムを初期化し（ステップＳ２０１）、自動ダイヤルする（ステップＳ２０２）。一方、受信側は、自動応答モードに設定されており、モデムを初期化した後（ステップＳ３０１）、電話がかかってくるのを待つ（ステップＳ３０２）。
【００７７】
続いて、送信側と受信側は互いに通信相手を確認する（ステップＳ２０３，ステップＳ３０３）。その後、送信側は、送信モードが指示されているか否かを判定し（ステップＳ２０４）、送信モードが指示されていれば、送信モードに設定し（ステップＳ２０５）、送信モードが指示されていなければ、受信モードに設定し（ステップＳ２０６）、設定されたモード情報を受信側に送信する。
【００７８】
受信側では、このモード情報を受信して解読し、通信相手が送信モードに設定されているか否かを判定し（ステップＳ３０４）、送信モードに設定されていれば、受信モードに設定し（ステップＳ３０５）、送信側が送信モードに設定されていなければ、送信モードに設定する（ステップＳ３０６）。続いて、送信側と受信側では、ステップＳ２０７とＳ３０７において、画像（コマデータ）の授受を行なった後、回線を切断して（ステップＳ２０８，Ｓ３０８）、処理を終了する。
【００７９】
【発明の効果】
以上説明したように、本発明によれば、良好なマンマシンインタフェースを有する電子画像取扱装置が得られるが、上述した各実施態様によれば、以下の如き効果が得られる。
【００８０】
（１）撮像手段により得られ、または外部から供給される少なくとも一枚のコマについてのコマデータを記憶手段に記憶するとともに、この記憶手段から読み出されたコマデータを、当該装置への電源供給のＯＮ／ＯＦＦを指示するパワースイッチを除く操作スイッチの動作を送信中は禁止して送信の動作がなされる状態の下に回線を介して送信する機能を有する電子画像取扱装置であって、前記コマデータの送信中に、前記送信対象のコマデータ或いは前記送信対象の全コマについてのコマデータの、未送信データ量に係る情報を、前記送信対象のコマデータの画像とともにディスプレイに表示することにより、送信状況や以後の送信に必要な時間を把握できる。
【００８１】
（２）撮像手段により得られ、または外部から供給される少なくとも一枚のコマについてのコマデータを記憶手段に記憶するとともに、この記憶手段から読み出されたコマデータを回線を介して送信する機能を有する電子画像取扱装置であって、前記コマデータの送信中に、前記送信対象のコマデータについての未送信データ量に係る情報ををディスプレイに表示することにより、送信状況や以後の送信に必要な時間を把握できる。
【００８２】
（３）撮像手段により得られ、または、外部から供給される少なくとも一枚のコマについてのコマデータを記憶手段に記憶するとともに、この記憶手段から読み出されたコマデータを回線を介して送信する機能を有する電子画像取扱装置であって、前記コマデータの送信中に、前記送信対象の全コマについてのコマデータの未送信データ量に係る情報をディスプレイに表示することにより、以後送信すべき全てのコマ送信に必要な時間を把握できる。
【００８３】
（４）当該装置への電源供給のＯＮ／ＯＦＦを指示するパワースイッチを含む各種の操作スイッチを有し、撮像手段により得られ、または外部から供給される少なくとも一枚のコマについてのコマデータを記憶手段に記憶するとともに、この記憶手段から読み出されたコマデータを回線を介して送信する機能を有する電子画像取扱装置であって、前記コマデータの送信中は、前記パワースイッチによる指示のみが許可され、他の操作スイッチによる指示を禁止することにより、重要なデータ送信がむやみに中断されることを防止する。
【００８４】
（５）撮像手段により得られ、または外部から供給される複数枚のコマについてのコマデータを記憶手段に記憶するとともに、この記憶手段から読み出されたコマデータを回線を介して送信する機能を有する電子画像取扱装置であって、送信対象とする複数のコマが当該操作スイッチの操作により選択、登録され、該登録状況をディスプレイに表示することにより、送信コマの任意の指定を可能とする。
【００８５】
（６）前記登録された複数のコマについてのコマデータを登録順に送信するとともに、現在送信中のコマ番号を前記ディスプレイに特定の態様で表示することにより、送信コマの確認を容易とする。
【００８６】
（７）各種の操作スイッチを有し、撮像手段により得られ、または外部から供給される少なくとも一枚のコマについてのコマデータを記憶手段に記憶するとともに、この記憶手段から読み出されたコマデータを回線を介して送信する機能を有する電子画像取扱装置であって、前記操作スイッチの操作により、前記記憶手段に記憶されているコマのうち、１枚のコマについてのコマデータを送信する機能と、複数枚のコマについてのコマデータを送信する機能とを選択的に指定する手段を有することにより、１枚または複数枚のコマが任意に選択可能となる。
【００８７】
（８）各種の操作スイッチを有し、回線を介して受信したコマについてのコマデータを記憶手段に記憶する電子画像取扱装置であって、受信モードにおいて前記記憶手段の記憶可能な空容量をディスプレイに表示することにより、受信動作に入った状態で、受信可能なコマ枚数の確認ができる。
【００８８】
（９）各種の操作スイッチを有し、回線を介して受信したコマについてのコマデータを記憶手段に記憶する電子画像取扱装置であって、前記コマデータの受信中は、受信コマ毎のコマデータ量または現時点迄に受信済みのデータ量に係る情報をディスプレイに表示することにより、受信状態及び必要な受信時間を容易に把握できる。
【００８９】
（１０）各種の操作スイッチを有し、回線を介して受信したコマについてのコマデータを記憶手段に記憶する電子画像取扱装置であって、１コマ分のコマデータの受信完了毎に受信完了を告知する手段を有することにより、１コマずつの受信完了を把握できる。
【００９０】
（１１）各種の操作スイッチを有し、回線を介して受信したコマについてのコマデータを記憶手段に記憶する電子画像取扱装置であって、受信したコマが、当該装置側で定められたコマ番号が付されて前記記憶手段に記憶されるとともに、前記コマ番号をディスプレイに一覧表示することにより、受信されたコマ番号やコマ情報の確認ができる。
【００９１】
（１２）各種の操作スイッチを有し、回線を介して受信したコマについてのコマデータを記憶手段に記憶する電子画像取扱装置であって、前記記憶手段に記憶されたコマのうち直前に受信したコマをディスプレイに再生表示することにより、受信完了を確認できる。
【００９２】
（１３）各種の操作スイッチを有し、回線を介して受信したコマについてのコマデータを記憶手段に記憶する電子画像取扱装置であって、複数枚のコマについてのコマデータの受信が完了したときに、前記複数枚のコマのうち最初に受信したコマデータを再生してディスプレイに表示することにより、複数枚のコマ受信完了を最初のコマ確認に基づいて把握できる。
【００９３】
（１４）各種の操作スイッチを有し、回線を介して受信したコマについてのコマデータを記憶手段に記憶する電子画像取扱装置であって、受信され、前記記憶手段に記憶されている複数枚のコマを前記操作スイッチの操作により、順次、ディスプレイに表示することにより、受信された複数枚のコマ全てを確認できる。
【００９４】
（１５）送信機能と受信機能を有する複数の電子画像取扱装置が回線を介して接続され、各電子画像取扱装置は、送信先を自動的にダイヤリングして通信接続状態とする自動ダイヤルモード機能と、通信相手方からの要求に応じて送信または受信機能が設定される自動応答モード機能とを備え、回線を介した電子画像取扱装置の接続時に、それぞれの電子画像取扱装置の送信モードと受信モードが設定されることにより、それぞれの電子画像取扱装置に対する所望のアクセスができる。
【００９５】
（１６）撮像手段により得られ、または  送信側の電子画像取扱装置には、前記操作スイッチの操作により送信先を設定する機能を有し、受信側の電子画像取扱装置には、送信元を設定する機能を有することにより、各電子画像取扱装置において送信機能、受信機能が設定できる。
【００９６】
（１７）回線を介して接続される複数の電子画像取扱装置が画像情報の授受を行なう電子画像取扱システムにおいて、第１の電子画像取扱装置からのダイヤリング動作及び第２の電子画像取扱装置からの応答に基づいて互いの通信相手を確認し、第１の電子画像取扱装置では、通信相手確認後、当該第１の電子画像取扱装置が送信モードか受信モードかを判定し、判定されたモードを送信し、前記第２の電子画像取扱装置では、前記モードを受信し、受信したモードが送信モードであれば受信モードに設定し、受信したモードが受信モードであれば送信モードに設定し、前記第１の電子画像取扱装置と第２の電子画像取扱装置のモード設定後に画像情報の授受を行なうことにより、操作性が改善された確実な画像情報の授受を可能としている。
【図面の簡単な説明】
【図１】図１は、本発明による画像取扱装置のデジタルスチルカメラへの適用例を示す構成ブロック図である。
【図２】本実施例の電子スチルカメラの外観図を示す図である。
【図３】本実施例の電子スチルカメラの外観図を示す図である。
【図４】本発明の実施例における送信モードにおける一連の処理手順を示すフローチャートである。
【図５】本発明の実施例における送信モードの送信コマ選択動作時の電子ビューファインダー（ＥＶＦ）８とＬＣＤ等の表示部１７の表示例を示す図である。
【図６】本発明の実施例におけるの送信先選択動作におけるＥＶＦ８とＬＣＤ等の表示部１７の表示例を示す図である。
【図７】本発明の実施例における画像送信動作におけるＥＶＦ８とＬＣＤ等の表示部１７の表示例を示す図である。
【図８】本発明の実施例における画像送信中のＥＶＦ８とＬＣＤ等の表示部１７の表示例を示す図である。
【図９】本発明の実施例における送信コマの選択動作処理手順を示すフローチャートである。
【図１０】本発明の実施例におけるコマ選択モードの詳細な処理手順を示すフローチャートである。
【図１１】本発明の実施例における送信コマ選択時のＥＶＦ８とＬＣＤ等の表示部１７の表示例を示す図である。
【図１２】本発明の実施例における送信先の指定を行い、送信先指定完了状態のＥＶＦ８とＬＣＤ等の表示部１７の表示例を示す図である。
【図１３】本発明の実施例における登録されているコマ番号のうち、コマ番号“２”のコマを送信中であるときＥＶＦ８とＬＣＤ等の表示部１７の表示例を示す図である。
【図１４】本発明の実施例におけ全コマを送信する場合のＥＶＦ８とＬＣＤ等の表示部１７の表示例を示す図である。
【図１５】本発明の実施例における画像送信動作を示すフローチャートである。
【図１６】本発明の実施例におけるコマデータ送信の詳細な処理手順を示すフローチャートである。
【図１７】本発明の実施例における受信モードの動作フローチャートである。
【図１８】本発明の実施例における画像受信動作のフローチャートである。
【図１９】本発明の実施例におけるコマデータの受信動作を示すフローチャートである。
【図２０】本発明の実施例における受信モードにおけるＥＶＦ８とＬＣＤ等の表示部１７の表示例を示す図である。
【図２１】本発明の実施例における送信元選択時のＥＶＦ８とＬＣＤ等の表示部１７の表示例を示す図である。
【図２２】本発明の実施例における自動ダイヤル受信モードのＥＶＦ８とＬＣＤ等の表示部１７の表示例を示す図である。
【図２３】本発明の実施例におけるモデムの設定が間違っているときのＥＶＦ８とＬＣＤ等の表示部１７の表示例を示す図である。
【図２４】本発明の実施例における送信元との通信が行なえた状態のＥＶＦ８とＬＣＤ等の表示部１７の表示例を示す図である。
【図２５】本発明の実施例における受信ビュー動作についてのフローチャートである。
【図２６】本発明の実施例における受信ビュー動作時のＥＶＦ８とＬＣＤ等の表示部１７の表示例を示す図である。
【図２７】本発明の実施例における通信相手との接続処理シーケンスを示すフローチャートである。
【図２８】本発明の実施例における自動ダイヤルモードと自動応答モード（ＨＯＳＴ）を有する送信先や送信元の選択動作を示すフローチャートである。
【図２９】本発明における通信手順の他の実施例動作を示すフローチャートである。
【符号の説明】
１          光学系レンズ
２          撮像回路
３          クランプ回路
４          Ａ／Ｄ変換回路
５          デジタルプロセス回路
６          Ｄ／Ａ変換回路
７          増幅回路
８          電子ビューファインダ
９          キャラクタジェネレータ
１０        メモリコントローラ
１１        フレームメモリ
１２        ＤＣＴ／ＩＤＣＴ（離散コサイン変換／逆離散コサイン変換）
１３        コーダ／デコーダ
１４        補助メモリ
１５        ＩＣメモリカード
１６        システムコントローラ
１７        表示部
１８        操作部
１９        データ入出力部
２０        ブザー
３１，３２  ＺＯＯＭスイッチ
３３        ＵＰスイッチ
３４        ＤＯＷＮスイッチ
３５        ホワイトバランススイッチ
３６        ＶＩＥＷ／ＥＲＡＳＥスイッチ
３７        ＋／−スイッチ
３８        フォーカススイッチ
３９        ストロボスイッチ
４０        ＦーＡＵＴＯ／ＭＡＮＵＡＬスイッチ
４１        ドライブスイッチ
４２        モードスイッチ
４３        タイムスイッチ
４４        パワースイッチ
４５        トリガスイッチ
４６        送信／受信スイッチ
４７        電話／カメラスイッチ
４８        接眼部
【図１】
0003552748.tif 000002
【図２】
0003552748.tif 000003
【図３】
0003552748.tif 000004
【図４】
0003552748.tif 000005
【図９】
0003552748.tif 000006
【図５】
0003552748.tif 000007
【図６】
0003552748.tif 000008
【図７】
0003552748.tif 000009
【図８】
0003552748.tif 000010
【図１０】
0003552748.tif 000011
【図１１】
0003552748.tif 000012
【図１２】
0003552748.tif 000013
【図１３】
0003552748.tif 000014
【図１４】
0003552748.tif 000015
【図１５】
0003552748.tif 000016
【図１６】
0003552748.tif 000017
【図１７】
0003552748.tif 000018
【図１８】
0003552748.tif 000019
【図１９】
0003552748.tif 000020
【図２０】
0003552748.tif 000021
【図２１】
0003552748.tif 000022
【図２２】
0003552748.tif 000023
【図２３】
0003552748.tif 000024
【図２４】
0003552748.tif 000025
【図２６】
0003552748.tif 000026
【図２５】
0003552748.tif 000027
【図２７】
0003552748.tif 000028
【図２８】
0003552748.tif 000029
【図２９】
0003552748.tif 000030